(57)【要約】【課題】米や野菜等を保存する冷蔵庫において、庫内の収納スペースを増大させる。【解決手段】貯蔵室用断熱体２の上面板１８には冷気導入口１９と冷気排出口２０が冷却ユニット３の冷気吸込口７と冷気吹出口８と対応するように配備されている。また貯蔵室用断熱体２の下面板２１には冷気導入口１９ａと冷気排出口２０ａが冷気導入口１９と冷気排出口２０の位置関係より長手方向に延長された位置に配備したことにより、冷気１５のショートサーキットを防ぎながら、従来収納スペースを減少せしめている庫内ダクトを排除することができ、庫内の収納スペースを増大することができる。【選択図】図１
2006010166.tif 000002
【特許請求の範囲】
【請求項１】
貯蔵室と、前記貯蔵室の上面に配設する冷却ユニットからなり、前記冷却ユニットは、断熱体内部に冷却器、冷却器用送風機、冷気吸込口、冷気吹出口を有する冷却室と、圧縮機、放熱器、放熱器用送風機を有する機械室とから構成され、前記貯蔵室は断熱体と前記断熱体を覆うパネルから構成され、前記貯蔵室の天面の上面に前記冷却ユニットの冷気吸込口かつ冷気吹出口の開口部に合致した貫通穴を配備し、前記貯蔵室の天面の断熱体内面に、前記冷却ユニットの冷気吸込口と冷気吹出口がそれぞれ独立した開口部を備えた冷蔵庫。
【請求項２】
前記貯蔵室の天面部全体が一体型で成型されている請求項１に記載の冷蔵庫。
【請求項３】
前記貯蔵室の天面部において、一部を独立成型にした請求項１または請求項２に記載の冷蔵庫。
【請求項４】
前記冷却ユニットの冷却器用送風機の保護カバーを備えた請求項１から請求項３のいずれか一項に記載の冷蔵庫。
【請求項５】
前記貯蔵室の天面の断熱体内面において、下向きに陥没したドレン溜まり部位を冷気吸込口、冷気吐出口の両側に形成した請求項１から請求項４のいずれか一項に記載の冷蔵庫。
【請求項６】
前記貯蔵室の下面に設けた蒸発皿の内面には不織布を備えた請求項１から請求項５のいずれか一項に記載の冷蔵庫。
【請求項７】
前記貯蔵室の下面に蒸発皿を設け、前記蒸発皿の中に貯蔵庫用扉の結露防止用コードヒータの一部を備えた請求項１から請求項６のいずれか一項に記載の冷蔵庫。
【請求項８】
ドレンパン排水口には一部庫内側の前記蒸発皿にドレン水が誘導される分岐を備えた請求項１から請求項７のいずれか一項に記載の冷蔵庫。
【発明の詳細な説明】
【技術分野】
【０００１】
本発明は、玄米や野菜等の食品を長期間保存しておくために用いる冷蔵庫に関するものである。
【背景技術】
【０００２】
従来、この種の冷蔵庫は貯蔵室の上面に冷却ユニットを搭載している（例えば、特許文献１参照）。
【０００３】
図１０、図１１、図１２は、特許文献１に記載された従来の冷蔵庫を示すものである。
【０００４】
図１０は、従来の冷蔵庫の概略図である。図１１は従来の冷蔵庫の冷却ユニットの断面図である。図１２は従来の冷蔵庫の要部斜視図である。図１０、図１１、図１２に示すように、冷蔵庫は貯蔵室１と貯蔵室用断熱体２、貯蔵室１の上面に配設された冷却ユニット３とから構成される。冷却ユニット３は断熱体４内部に冷却器５、冷却器用送風機６、冷気吸込口７、冷気吹出口８を有する冷却室９と、冷却ユニット３の冷却器５下部にはドレンパン１０が配設され、さらにドレンパン１０下部には庫内ダクト１１を設け、冷却ユニット３の冷気吸込口７と、冷気吹出口８を区画している。また、貯蔵室１にも、冷却ユニット３の冷気吸込口７、冷気吹出口８と対応する貫通穴１２を貯蔵室１の上面に１箇所設けている。また、貯蔵室１にはスノコ１３とレール１４が配備されており冷気１５が通るような風路を形成している。またドレンパン１０にはドレン口１６が設けてあり、ドレンホース１７に接続されている。
【０００５】
以上のように構成された冷蔵庫について、以下その動作について説明する。貯蔵室１は、冷却ユニット３の冷却器５により冷却された冷気１５を冷気吹出口８から排出することで冷却される。その際、ドレンパン１０下部の庫内ダクト１１により「冷気吹出口８から排出した冷気１５が冷気吸込口７に戻り、貯蔵室１に冷気１５が流れ込まず貯蔵室１が冷えない。」というショートサーキット現象を防いでいる。
【０００６】
また冷気吹出口からでた冷気１５は貯蔵室１の上面からレール１４部位の空間とスノコ１３の下を通り最終的に冷却ユニット３の冷気吸込口７に戻るような風路を形成している。またドレンパン１０は冷却器５から滴下するドレン水を庫外に排出するようにドレン口１６が冷却ユニット３の背面側に形成されている。このドレン口１６にはドレンホース１７が接続されており、排出されたドレン水を床面まで導くように構成されている。
【特許文献１】実開昭６２−８０１８５号公報
【発明の開示】
【発明が解決しようとする課題】
【０００７】
一般に冷蔵庫は、設置スペースを小さくすること、庫内の収納スペースを大きくすることが要求されている。しかしながら、上記従来の構成は、冷気吸込口と冷気吹出口との距離が短いため、貯蔵室内にショートサーキット現象を回避するために庫内ダクトを設けており、収納スペースが小さくなるという課題を有していた。
【０００８】
本発明は上記従来の課題を解決するもので、貯蔵庫本体でショートサーキットを回避することにより、貯蔵室内の庫内ダクトを不要にすることで部品点数の削減が図れ、収納スペースを増大させることができる冷蔵庫を提供することを目的とする。
【課題を解決するための手段】
【０００９】
上記従来の課題を解決するために、本発明の冷蔵庫は、貯蔵室の天面において前記天面の上面に前記冷却ユニットの冷気吸込口かつ冷気吹出口用の開口部に合致した貫通穴を配備し、また前記貯蔵室の天面の断熱体内面においては、前記冷却ユニット用の冷気吸込口と冷気吹出口がそれぞれ独立した開口部を備え、貯蔵庫本体でショートサーキットを回避した構造としたものである。
【００１０】
これによって、貯蔵室内の庫内ダクトが不要となり部品手数が削減される。また庫内の収納スペースが増大し有効に活用できる。
【発明の効果】
【００１１】
本発明の冷蔵庫は、庫内ダクトを不要にしたことで部品点数が削減でき、収納スペースを増大させ有効に活用することができる。
【発明を実施するための最良の形態】
【００１２】
請求項１に記載の発明は、
貯蔵室と、前記貯蔵室の上面に配設する冷却ユニットからなり、前記冷却ユニットは、断熱体内部に冷却器、冷却器用送風機、冷気吸込口、冷気吹出口を有する冷却室と、圧縮機、放熱器、放熱器用送風機を有する機械室とから構成され、前記貯蔵室は断熱体と前記断熱体を覆うパネルから構成され、前記貯蔵室の天面の上面に前記冷却ユニットの冷気吸込口かつ冷気吹出口の開口部に合致した貫通穴を配備し、前記貯蔵室の天面の断熱体内面に、前記冷却ユニットの冷気吸込口と冷気吹出口がそれぞれ独立した開口部を備えたものであり、貯蔵室内部でのショートサーキットが起こらない構造となり庫内ダクトが不要になることから部品点数の削減が図れると共に庫内収納スペースを増大させることができる。
【００１３】
請求項２に記載の発明は、請求項１に記載の発明において、貯蔵室の天面部全体が一体型で成型することにより、部品点数が最小限に抑えられ且つ、確実に、貯蔵室内部でのショートサーキットが起こらない構造となり庫内ダクトが不要になることから庫内収納スペースを増大させることができる。
【００１４】
請求項３に記載の発明は、請求項１または請求項２に記載の発明において、貯蔵室の天面部の一部を独立成型することにより、その構造体は、庫内容積を変えた他の貯蔵室天面にも兼用できるため、汎用性を効かせることができる。これにより貯蔵庫の材料費削減に寄与することができる。
【００１５】
請求項４に記載の発明は、請求項１から請求項３のいずれか一項に記載の発明において、冷却ユニットの冷却器用送風機の保護カバーを備えることにより、貯蔵室の天面部において、万が一、冷気吹出口や冷気吸込口に手をいれようとしても、この保護カバーによって阻止され、人体への安全性が確保することができる。
【００１６】
請求項５に記載の発明は、請求項１から請求項４のいずれか一項に記載の発明において、前記貯蔵室の天面の断熱体内面において、下向きに陥没したドレン溜まり部位を冷気吸込口、冷気吐出口の両側に形成したことにより、米を冷蔵保管している際にドレンホースのつまりや、ドアの開閉頻度が多くなってドレン水がドレンパンからオーバーフローして庫内に滴下するドレン水を受け止めることにより、安心して保存することができる。
【００１７】
請求項６に記載の発明は、請求項１から請求項５のいずれか一項に記載の発明において、前記貯蔵室の下面に設けた蒸発皿の内面には不織布を備えたことにより、オーバーフローしたドレン水を庫内側において蒸発できるようにし、米や野菜等の保存に必要な湿度を補うことができる。
【００１８】
請求項７に記載の発明は、請求項１から請求項６のいずれか一項に記載の発明において、前記貯蔵室の下面に蒸発皿を設け、前記蒸発皿の中に貯蔵庫用扉側の結露防止用コードヒータの一部を備えたことにより、冷却ユニットの冷気吹出口から出る冷気循環路には蒸発皿と蒸発皿内面には貯蔵庫用扉側の結露防止用コードヒータの一部を備えた構造としたことで、オーバーフローしたドレン水を庫内側において蒸発できるようにし、米や野菜等の保存に必要な湿度を補うことができる。
【００１９】
請求項８に記載の発明は請求項１から請求項７のいずれか一項に記載の発明において、ドレンパン排水口に一部庫内側の蒸発皿にドレン水が誘導される分岐を備えた構造としたとで、米や野菜等の保存に必要な湿度を常時、維持することができる。
【００２０】
以下、本発明の実施の形態について、図面を参照しながら説明する。なお、従来と同一構成については、同一符合を付して詳細な説明を省略する。また、この実施の形態によってこの発明が限定されるものではない。
【００２１】
（実施の形態１）
図１は、本発明の実施の形態１における冷蔵庫の冷却ユニットの断面図である。
【００２２】
図１において、貯蔵室１と貯蔵室用断熱体２、貯蔵室１の上面に配設された冷却ユニット３である。冷却ユニット３は断熱体４内部に冷却器５、冷却器用送風機６、冷気吸込口７、冷気吹出口８を有する冷却室９と、冷却器５の下部にはドレンパン１０が配設されている。また、貯蔵室用断熱体２の上面板１８には冷気導入口１９と冷気排出口２０が冷却ユニット３の冷気吸込口７と冷気吹出口８と対応するように配備されている。また貯蔵室用断熱体２の下面板２１には冷気導入口１９ａと冷気排出口２０ａが冷気導入口１９と冷気排出口２０の位置関係より長手方向に延長された位置に配備されている。
【００２３】
以上のように構成された冷蔵庫について、以下その動作、作用を説明する。
【００２４】
まず、冷却器５により冷却された冷気１５は冷気吹出口８から冷気排出口２０、２０ａを通り導入されることで、貯蔵室１は冷却される。この冷気１５は貯蔵室１内を巡回した後、冷気導入口１９ａ、１９を通り冷却ユニット３の冷気吸込口７を通り、再び冷却器５に戻り、以後前述を繰り返して貯蔵室１の温度を保つものである。
【００２５】
以上のように、本実施の形態においては、貯蔵室１の貯蔵室用断熱体２において冷気導入口１９ａと冷気排出口２０ａが前記冷気導入口１９と冷気排出口２０の位置関係より長手方向に延長された位置に配備することにより、冷気排出口２０ａから導入される冷気１５は一端、冷気導入口１９ａとは反対側の貯蔵室１壁面に方向性をもたせることができ、ショートサーキットの防止を確実にすることができる構造となり、庫内ダクトが不要になることから部品点数の削減が図れると共に、庫内収納スペースを増大させることができる。
【００２６】
（実施の形態２）
図２は、本発明の実施の形態２における冷蔵庫の斜視図である。
【００２７】
図２において、貯蔵室用断熱体２の上面板組立品１８ａは冷気導入口１９および冷気排出口２０を含み、冷蔵庫２２本体の上面全体を一体成型品で配備されている。冷却ユニット３の冷気吸込口７と冷気吐出口８と対応するようになっており、冷気１５は確実に貯蔵室１内および冷却室９を巡回するように構成されている。
【００２８】
また冷却ユニット３は、上面板組立品１８ａにボルト等にて固定されている。
【００２９】
以上のように構成された冷蔵庫について、以下その動作、作用を説明する。
【００３０】
まず、貯蔵室用断熱体２の上面板組立品１８ａは冷気導入口１９および冷気排出口２０を含み、冷蔵庫２２本体の上面全体を一体成型化されている。この部位は冷却ユニット３の冷気吸込口７と冷気吐出口８と対応するように構成されている。
【００３１】
以上のように、本実施の形態においては、冷蔵庫２２の上面部全体が一体型で成型することにより、部品点数が最小限に抑えられ、且つ冷蔵庫２２の組立時において短時間で組み立てることができる。また確実に、貯蔵室内部でのショートサーキットが起こらない構造となり、庫内ダクトが不要になることから庫内収納スペースを増大させるという作用を有する。
【００３２】
また本実施の形態２の貯蔵室用断熱体３の上面板１８を、板金および樹脂を使用した成型でも同様の効果を得ることができる。
【００３３】
（実施の形態３）
図３は、本発明の実施の形態３における冷蔵庫の斜視図である。
【００３４】
図３において、貯蔵室用断熱体２の上面板１８には冷気導入口１９および冷気排出口２０部位を含む風路組立品２３が配備されている。
【００３５】
以上のように構成された冷蔵庫について、以下その動作、作用を説明する。
【００３６】
まず、貯蔵室用断熱体２の上面板１８には冷気導入口１９および冷気排出口２０の部位の組立品２３が配備されており、冷却ユニット３の冷気吸込口７と冷気吐出口８と対応するようになっており、冷気１５は確実に貯蔵室１内および冷却室９を巡回するように構成されている。
【００３７】
以上のように、本実施の形態においては貯蔵室用断熱体２の上面板１８には冷気導入口１９および冷気排出口２０部位の組立品２３が配備されていることによりその構造体は、庫内容積を変えた他の貯蔵室１天面にも兼用できるため、汎用性が効く。これにより冷蔵庫２２の材料費削減に寄与することができる。
【００３８】
（実施の形態４）
図４は、本発明の実施の形態４における冷蔵庫の冷却ユニットの断面図である。
【００３９】
図４において、貯蔵室１の下面板２１には保護カバー２４が配備されている。
【００４０】
以上のように構成された冷蔵庫について、以下その動作、作用を説明する。
【００４１】
まず、貯蔵室１の下面板２１側には冷気排出口２０ａと冷気導入口１９ａが配備されている。このそれぞれの開口部は冷気１５の循環に影響のないよう大型化されている。このためこの開口部からは冷却器用送風機６や冷却器５が容易に確認できるため、この開口部に保護カバー２４を取り付けていることで、万が一、それぞれの開口部に手を挿入しても、この保護カバー２４によって安全が確保されるように構成されている。
【００４２】
以上のように、本実施の形態においては、貯蔵室１の下面板２１において、冷却ユニット３の冷却器用送風機６および冷却器５用の保護カバーを備えることにより、貯蔵室の天面部において、万が一、冷気吹出口や冷気吸込口に手をいれようとしてもこの保護カバーによって阻止され、人体への安全性が確保されることができる。
【００４３】
また、保護カバーには、板金および樹脂を使用しても同様の効果を得ることができる。
【００４４】
（実施の形態５）
図５は、本発明の実施の形態５における冷蔵庫の冷却ユニットの断面図である。
【００４５】
図５において、貯蔵室用断熱体２には陥没したドレン水溜まり部２５が設けられている。
【００４６】
以上のように構成された冷蔵庫について、以下その動作、作用を説明する。
【００４７】
まず、冷却ユニット３の冷却器５から発生するドレン水は通常ドレンパン１０内に滴下し、ドレン口１６とドレンホース１７を経由して庫外に排出される。しかし、米等を冷蔵保管している際に、ドレンホース１７のつまりや、ドアの開閉頻度が多くなってドレン水がドレンパン１０からオーバーフローすると、貯蔵室用断熱体２において、下向きに陥没したドレン水溜まり部２５がそのオーバーフローしたドレン水を受け止め、貯蔵室１内面の背面側を伝って下面に排水されるように構成されている。このドレン水溜まり部２５は、冷気排出口２０ａと冷気導入口１９ａ近傍の両側に形成することで、どの位置からドレン水が漏れ出しても受け止めるように配備されている。
【００４８】
以上のように、本実施の形態においては米等を冷蔵保管している際にドレンホース１７のつまりや、ドアの開閉頻度が多くなってドレン水がドレンパン１０からオーバーフローして貯蔵室１内に滴下するドレン水を受け止めることにより、安心して保存することができる。
【００４９】
（実施の形態６）
図６は、本発明の実施の形態６における冷蔵庫の概略図を示すものである。
【００５０】
図６において、貯蔵室１内面には蒸発皿２６と、蒸発皿２６内面に不織布２７を配備している。
【００５１】
以上のように構成された冷蔵庫について、以下その動作、作用を説明する。
【００５２】
まず、貯蔵室１内面の下面において冷却ユニット３から出る冷気１５の循環路には、蒸発皿２６と蒸発皿２６内面には不織布２７を配備している。またオーバーフローしたドレン水は庫内側排水管２８を通って蒸発皿２６に滴下するように構成されている。
【００５３】
以上のように、本実施の形態においては、オーバーフローしたドレン水を庫内側に配備した蒸発皿に滴下させ、不織布２７にドレン水を染み込ませ、冷気１５の冷風において蒸発できるようにし、米や野菜等の保存に必要な湿度を補うことができる。
【００５４】
（実施の形態７）
図７は、本発明の実施の形態７における冷蔵庫の概略図である。
【００５５】
図7において、貯蔵室１内面には蒸発皿２６と、蒸発皿２６内面に貯蔵庫用扉側には埋設された結露防止用コードヒータ２９の一部を配備している。
【００５６】
以上のように構成された冷蔵庫について、以下その動作、作用を説明する。
【００５７】
まず、貯蔵室１内面の下面において冷却ユニット３から出る冷気１５の循環路には蒸発皿２６と蒸発皿２６内面には貯蔵庫用扉側には埋設された結露防止用コードヒータ２９の一部を備えた構成にしている。
【００５８】
以上のように、本実施の形態においてはオーバーフローしたドレン水を庫内側に配備した蒸発皿２６に滴下させ、結露防止用コードヒータ２９の一部で庫内側において蒸発できるようにし、米や野菜等の保存に必要な湿度を補うことができる。
【００５９】
（実施の形態８）
図８は、本発明の実施の形態８における冷蔵庫の斜視図、図９は同実施の形態の冷蔵庫の排水口の要部断面図である。
【００６０】
図８、図９において、ドレンパン１０の排水口３０には、庫外排出用口３３と庫内排出用口３４が配備されている。また上面板１８には、穴３２が設けられており、排水口３０にドレンホース１７と庫内用ドレンホース３１が接続されている。
【００６１】
以上のように構成された冷蔵庫について、以下その動作、作用を説明する。
【００６２】
まず、冷却器５から出たドレン水は、ドレンパン１０の排出口３０を通り、そのドレン水の一部は庫外排出用口３３を通りドレンホース１７を通って排出される。
【００６３】
また、もう一方の庫内排出用口３４を通ってきたドレン水は庫内用ドレンホース３１を通って、蒸発皿２６に滴下させ、不織布２７もしくは結露防止用コードヒータ２８により、玄米や野菜等の食品の保存に必要な湿度を常時、維持することができる。
【００６４】
以上のように、本実施の形態においては、ドレン水の一部を庫内側に供給し、蒸発させることで庫内の湿度を維持することができる。
【産業上の利用可能性】
【００６５】
以上のように、本発明にかかる冷蔵庫は、庫内ダクトを廃止し、また庫内側にドレン水用の蒸発皿や蒸発を促進させる不織布もしくは結露防止用コードヒータを用いることにより、庫内側にドレン水の一部を供給する仕様にしたことで、安価で庫内の湿度を維持することができることから、業務用冷蔵庫やプレハブ冷蔵庫等の用途にも適用できる。
【図面の簡単な説明】
【００６６】
【図１】本発明の実施の形態１における冷蔵庫の冷却ユニットの断面図
【図２】本発明の実施の形態２における冷蔵庫の斜視図
【図３】本発明の実施の形態３における冷蔵庫の斜視図
【図４】本発明の実施の形態４における冷蔵庫の冷却ユニットの断面図
【図５】本発明の実施の形態５における冷蔵庫の冷却ユニットの断面図
【図６】本発明の実施の形態６における冷蔵庫の概略図
【図７】本発明の実施の形態７における冷蔵庫の概略図
【図８】本発明の実施の形態８における冷蔵庫の斜視図
【図９】同実施の形態の冷蔵庫の排水口の要部断面図
【図１０】従来の冷蔵庫を示す概略図
【図１１】従来の冷蔵庫を示す冷却ユニットの断面図
【図１２】従来の冷蔵庫を示す斜視図
【符号の説明】
【００６７】
１    貯蔵室
３    冷却ユニット
４    断熱体
５    冷却器
６    冷却器用送風機
７    冷気吸込口
８    冷気吹出口
９    冷却室
１９、１９ａ    冷気導入口
２０、２０ａ    冷気排出口
２２    冷蔵庫
２４    保護カバー
２５    ドレン水溜まり部
２６    蒸発皿
２７    不織布
２８    庫内側排水管
２９    結露防止用コードヒータ
３０    排水口
【図１】
2006010166.tif 000003
【図２】
2006010166.tif 000004
【図３】
2006010166.tif 000005
【図４】
2006010166.tif 000006
【図５】
2006010166.tif 000007
【図６】
2006010166.tif 000008
【図７】
2006010166.tif 000009
【図８】
2006010166.tif 000010
【図９】
2006010166.tif 000011
【図１０】
2006010166.tif 000012
【図１１】
2006010166.tif 000013
【図１２】
2006010166.tif 000014